(57)【要約】      （修正有）【課題】物品を保持するバンドのフックを係止するための係止部やその周辺部の変形や損傷等を防止することのできるパレットを提供する。【解決手段】パレット１は、略矩形状をなし、上下に所定距離を隔てて相対する一対のデッキ２と、一対のデッキ２間を連結する複数の支柱部３とを備えている。一対のデッキ２には、当該デッキ２のうち支柱部３と連結されている部位に対応して、物品が載置される載置面、及び、設置場所の床面に支持される支持面を構成し得る機能面１３において、当該デッキ２の外周縁に連接する一対の第１凹部２１が形成されている。また、第１凹部２１の底面に対し、当該デッキ２の外周縁よりも内周側に変位した部位において第２凹部２２が形成されることで、第２凹部２２の内面のうち当該デッキ２の外周側の面によって、バンド３１のフック３２を係止可能な係止面２３が形成されている。【選択図】図８
2014055001.tif 000002
【特許請求の範囲】
【請求項１】
略矩形状をなし、上下に所定距離を隔てて相対する一対のデッキと、
前記一対のデッキ間を連結する複数の支柱部とを備え、
前記複数の支柱部の間にフォークリフト又はハンドリフトのフォークを差込み可能なフォーク差込み部を有するパレットであって、
前記一対のデッキのうち、少なくとも当該パレットによって支持される物品とは反対側に位置する前記デッキには、当該デッキのうち前記支柱部と連結されている部位に対応して、物品が載置される載置面、及び、設置場所の床面に支持される支持面のうち少なくとも一つによって構成される機能面において、当該デッキの外周縁に連接する第１凹部が形成されるとともに、
当該デッキの前記機能面から没入した位置にある前記第１凹部の底面に対し、当該デッキの外周縁よりも内周側に変位した部位において第２凹部が形成されることで、前記第２凹部の内面のうち当該デッキの外周側の面によって、フックを係止可能な係止面が形成されていることを特徴とするパレット。
【請求項２】
１つの前記デッキと、前記支柱部の長手方向の一部とが一体成形された一対の構成体を備え、前記一対の構成体の前記支柱部の先端部同士が上下に固着されることによって構成され、
前記第１凹部及び前記第２凹部が形成された前記デッキを有する前記構成体において、前記係止面を構成する係止面構成壁部は、上下方向において前記支柱部の固着側端縁にまで延設され、相手側の前記構成体の前記支柱部と固着されていることを特徴とする請求項１に記載のパレット。
【請求項３】
前記係止面を構成する係止面構成壁部と、パレットの外周面を構成する外壁部との間を連結する連結リブを備えていることを特徴とする請求項１又は２に記載のパレット。
【請求項４】
１つの前記デッキと、前記支柱部の長手方向の一部とが一体成形された一対の構成体を備え、前記一対の構成体の前記支柱部の先端部同士が上下に固着されることによって構成され、
前記第１凹部及び前記第２凹部が形成された前記デッキを有する前記構成体において、前記連結リブの少なくとも一部は、上下方向において前記支柱部の固着側端縁にまで延設され、相手側の前記構成体の前記支柱部と固着されていることを特徴とする請求項３に記載のパレット。
【請求項５】
１つの前記デッキと、前記支柱部の長手方向の一部とが一体成形された一対の構成体を備え、前記一対の構成体の前記支柱部の先端部同士が上下に固着されることによって構成され、
前記係止面の横幅方向において、前記係止面を構成する係止面構成壁部を延長させるようにして形成された延設リブを備え、
前記延設リブは、上下方向において前記支柱部の固着側端縁にまで延設され、相手側の前記構成体の前記支柱部と固着されている通しリブにまで延設されて連結されていることを特徴とする請求項１乃至４のいずれかに記載のパレット。
【発明の詳細な説明】
【技術分野】
【０００１】
本発明は、物品の運搬等に使用されるパレットに関するものである。
【背景技術】
【０００２】
一般に、物品の運搬等に使用されるパレットは、上下一対の略矩形状のデッキと、一対のデッキ間を複数箇所において連結する複数の支柱部とを備え、支柱部間においてフォークリフトやハンドリフトのフォークを差込み可能なフォーク差込み部を有している。また、パレットに載置された物品を保持するための補助器具であるバンドのフックを係止可能な係止部を備えているものがある（例えば、特許文献１等参照。）。
【先行技術文献】
【特許文献】
【０００３】
【特許文献１】特開２００１−１８９６８号公報
【発明の概要】
【発明が解決しようとする課題】
【０００４】
しかしながら、特許文献１における係止部というのは、上側のデッキの外周縁を下方に屈曲させることによって形成されている。このため、係止部やその周辺部の強度が弱く、係止部に対して比較的大きな力が負荷されてしまうと、係止部やその周辺部が変形したり、損傷したりしてしまうことが懸念される。
【０００５】
本発明は、上記例示した問題点等を解決するためになされたものであって、その目的は、物品を保持するバンドのフックを係止するための係止部やその周辺部の変形や損傷等を防止することのできるパレットを提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．略矩形状をなし、上下に所定距離を隔てて相対する一対のデッキと、
前記一対のデッキ間を連結する複数の支柱部とを備え、
前記複数の支柱部の間にフォークリフト又はハンドリフトのフォークを差込み可能なフォーク差込み部を有するパレットであって、
前記一対のデッキのうち、少なくとも当該パレットによって支持される物品とは反対側に位置する前記デッキには、当該デッキのうち前記支柱部と連結されている部位に対応して、物品が載置される載置面、及び、設置場所の床面に支持される支持面のうち少なくとも一つによって構成される機能面において、当該デッキの外周縁に連接する第１凹部が形成されるとともに、
当該デッキの前記機能面から没入した位置にある前記第１凹部の底面に対し、当該デッキの外周縁よりも内周側に変位した部位において第２凹部が形成されることで、前記第２凹部の内面のうち当該デッキの外周側の面によって、フックを係止可能な係止面が形成されていることを特徴とするパレット。
【０００８】
手段１によれば、例えば、上側のデッキの上面（機能面）に物品を積載する場合、下側のデッキに第１凹部及び第２凹部が形成されていれば、積載された物品を保持するバンドのフックを下側のデッキの下面側に形成された係止面に係止させることができる。特に、本手段によれば、フックが掛けられる係止面は、一対のデッキのうち、パレットによって支持される物品とは反対側に位置するデッキの機能面を凹ませることで形成されており、当該係止面と、物品を支持しているデッキの機能面との間に、係止面（係止面を構成する係止面構成壁部）の強度を高める構成（補強リブ等）を設けるためのスペースを十分に確保することができる。その上、第１凹部は、デッキのうち支柱部と連結されている部位に対応して形成されている。従って、第１凹部を形成しても、フォーク差込み部を狭めることなく、係止面の強度を高める構成を支柱部において確実に設けることができる。結果として、係止面やその周辺部の強度を向上させることができ、係止面やその周辺部の変形や損傷等を防止することができる。
【０００９】
さらに、第１凹部内に第２凹部を形成することで係止面を形成することにより、下側のデッキに第１凹部が形成されているパレットが床面に設置されている状態であっても、パレットを持ち上げることなく、第１凹部を介して係止面にフックを係止することができ、作業性の向上を図ることができる。また、第１凹部が係止面の形成位置の目印にもなり、第２凹部が直接視認できない状況であっても、第２凹部の位置を把握することができる。加えて、係止面にフックを係止した状態でパレットを床面に設置した場合でも、フックが床面に衝突する（床面とデッキとで挟まれて圧縮される）といった事態を防止することができ、フックの保護を図ることもできる。
【００１０】
尚、「パレットの高さ方向（厚み方向）における第１凹部の深さは、パレットの高さの１／２以下であること」としてもよい。この場合、係止面構成壁部の補強構造を設けるスペースを確保するといった作用効果が一層確実に奏され、より強固な補強構造を設けることができる。
【００１１】
手段２．１つの前記デッキと、前記支柱部の長手方向の一部とが一体成形された一対の構成体を備え、前記一対の構成体の前記支柱部の先端部同士が上下に固着されることによって構成され、
前記第１凹部及び前記第２凹部が形成された前記デッキを有する前記構成体において、前記係止面を構成する係止面構成壁部は、上下方向（パレットの高さ方向）において前記支柱部の固着側端縁にまで延設され、相手側の前記構成体の前記支柱部と固着されていることを特徴とする手段１に記載のパレット。
【００１２】
手段２によれば、係止面を構成する係止面構成壁部や、その周辺部の強度を向上させることができる。特に、係止面構成壁部の上下方向における変形を防止することができ、係止面にバンドのフックを係止させてバンドをパレットに支持される物品側に引っ張った場合等において、係止面構成壁部やその周辺部が引っ張られた側に盛り上がるようにして変形してしまうといった事態をより確実に防止することができる。
【００１３】
尚、「第１凹部の深さは、各構成体の高さの１／２以下であること」としてもよい。この場合、係止面構成壁部の補強構造を設けるスペースを確保するといった作用効果が一層確実に奏され、より強固な補強構造を設けることができる。
【００１４】
手段３．前記係止面を構成する係止面構成壁部と、パレットの外周面を構成する外壁部との間を連結する連結リブを備えていることを特徴とする手段１又は２に記載のパレット。
【００１５】
手段３によれば、係止面を構成する係止面構成壁部や、その周辺部の強度を向上させることができる。特に、係止面構成壁部のデッキ外周方向における変形を防止することができ、係止面にバンドのフックを係止させてバンドをデッキ外周方向に引っ張った場合等において、係止面構成壁部やその周辺部がデッキ外周側に膨らむようにして（係止面よりもデッキ外周側の部位が引っ張られた側に捲れるようにして）変形してしまうといった事態をより確実に防止することができる。
【００１６】
手段４．１つの前記デッキと、前記支柱部の長手方向の一部とが一体成形された一対の構成体を備え、前記一対の構成体の前記支柱部の先端部同士が上下に固着されることによって構成され、
前記第１凹部及び前記第２凹部が形成された前記デッキを有する前記構成体において、前記連結リブの少なくとも一部は、上下方向（パレットの高さ方向）において前記支柱部の固着側端縁にまで延設され、相手側の前記構成体の前記支柱部と固着されていることを特徴とする手段３に記載のパレット。
【００１７】
手段４によれば、連結リブやその周辺部（係止面構成壁部等）の強度を向上させることができる。特に、連結リブの上下方向における変形を防止することができ、係止面にバンドのフックを係止させてバンドをパレットに支持される物品側に引っ張った場合等において、連結リブやその周辺部が引っ張られた側に盛り上がるようにして変形してしまうといった事態をより確実に防止することができる。
【００１８】
手段５．１つの前記デッキと、前記支柱部の長手方向の一部とが一体成形された一対の構成体を備え、前記一対の構成体の前記支柱部の先端部同士が上下に固着されることによって構成され、
前記係止面の横幅方向において、前記係止面を構成する係止面構成壁部を延長させるようにして形成された延設リブを備え、
前記延設リブは、上下方向（パレットの高さ方向）において前記支柱部の固着側端縁にまで延設され、相手側の前記構成体の前記支柱部と固着されている通しリブにまで延設されて連結されていることを特徴とする手段１乃至４のいずれかに記載のパレット。
【００１９】
手段５によれば、係止面を構成する係止面構成壁部の側縁部と、通しリブとが、延設リブを介して連結されることとなる。これにより、係止面構成壁部や、その周辺部の強度を向上させることができる。特に、係止面構成壁部と、その左右の部位との間の位置ずれを防止することができ、係止面にバンドのフックを係止させてバンドをパレットに支持される物品側に引っ張った場合等において、係止面構成壁部が、その左右の部位よりも、引っ張られた側に盛り上がるようにして変形してしまうといった事態をより確実に防止することができる。
【図面の簡単な説明】
【００２０】
【図１】パレットを上面側から見た斜視図である。
【図２】パレットの部分拡大斜視図である。
【図３】構成体を合わせ面（固着面）側から見た斜視図である。
【図４】構成体の部分拡大斜視図である。
【図５】パレットに載置された物品をバンドで固定した状態を示す斜視図である。
【図６】パレットにバンドを係止させる過程を示す斜視図である。
【図７】パレットの断面を含む斜視図である。
【図８】パレットの断面を含む斜視図である。
【図９】構成体の断面を含む斜視図である。
【図１０】パレットの別の使用例を示す斜視図である。
【図１１】パレットの別の使用例を示す斜視図である。
【図１２】パレットの別の使用例を示す斜視図である。
【図１３】別の実施形態におけるパレットの斜視図である。
【図１４】図１３に示すパレットに物品を載置した状態を示す斜視図である。
【図１５】別の実施形態におけるパレットの斜視図である。
【図１６】別の実施形態におけるパレットの斜視図である。
【図１７】図１６に示すパレットに物品を載置した状態を示す斜視図である。
【図１８】別の実施形態におけるパレットの斜視図である。
【発明を実施するための形態】
【００２１】
以下に、一実施形態について図面を参照して説明する。図１に示すように、パレット１は、略矩形状をなし、上下に所定距離を隔てて相対する一対のデッキ２と、一対のデッキ２間を連結する複数の支柱部３とを備えている。本実施形態の支柱部３は、デッキ２の相対する一対の短辺部に沿って延在する一対の隅柱４と、当該一対の隅柱４の中間位置において各隅柱４と略平行して延在する中柱５とを備えている（図３参照）。また、各隅柱４と中柱５との間には、ハンドリフトのフォークを差込み可能なフォーク差込み部６が形成されている。本実施形態のパレット１はポリプロピレンにより構成されている。
【００２２】
また、パレット１は、上下一対の構成体１１によって構成されている。図３に示すように、各構成体１１は１つのデッキ２と、支柱部３の長手方向の半分（以下、「柱構成部１２」と称する）とを備え、これらが一体成形されることによって構成されている。さらに、本実施形態の一対の構成体１１は互いに同形状となっている。そして、一対の構成体１１を面対称となるように向かい合わせて、柱構成部１２の先端部同士を熱溶着することによって、上下一対の構成体１１が一体化され、これにより本実施形態のパレット１が形成されている。本実施形態では、上下一対の構成体１１が同形状であり、パレット１が上下対称形状であることから、どちらのデッキ２も設置場所の床面に設置される方（或いは、物品Ｇ（図５参照）を支持する方）として使用することができる。以下、デッキ２のうち、物品Ｇが載置される載置面、及び、設置場所の床面に支持される支持面を構成し得る面のことを「機能面１３」と称する。
【００２３】
さて、図１、図２、図７に示すように、本実施形態のデッキ２には、機能面１３において、当該デッキ２の一対の短辺部にそれぞれ連接する一対の第１凹部２１が形成されている。本実施形態では、一対の第１凹部２１は、互いに対称となる位置となるように、各短辺部の中央部を含む範囲に形成されている。また、上記のように、デッキ２の短辺部は、隅柱４（の柱構成部１２）と連結されている部位である。このため、フォーク差込み部６を狭めることなく、第１凹部２１をデッキ２のうちフォーク差込み部６を画定している面よりも深く没入させるようにして形成することができる。本実施形態では、図７に示すように、第１凹部２１の深さＬ１（機能面１３から第１凹部２１の底面までの距離）は、各構成体１１の高さＬ２の１／３程度（１／４以上、１／２以下）となっている。
【００２４】
さらに、第１凹部２１の底面には、当該デッキ２の外周縁よりも内周側に変位（離間）した部位において第２凹部２２が形成されている。これにより、第２凹部２２の内面のうち当該デッキ２の外周側の面によって、フックを係止可能な係止面２３が形成されている。すなわち、図５、図６、図８に示すように、パレット１に載置された物品Ｇを保持するバンド３１のフック３２を当該係止面２３に係止させることができるようになっている。加えて、図８に示すように、第２凹部２２の係止面２３と、第１凹部２１のデッキ２外周側端縁との間の幅Ｌ３は、隅柱４の厚みＬ４の１／３以上となっている。尚、本実施形態では、上下一対の構成体１１が同形状であるため、上下一対のデッキ２の両方に第１凹部２１及び第２凹部２２がそれぞれ一対で形成されることとなる。
【００２５】
また、図４、図７、図９等に示すように、係止面２３を構成する係止面構成壁部２４（図４で散点模様を付した壁部）は、上下方向（パレット１の高さ方向）において柱構成部１２の先端（固着側端縁）にまで延設され、相手側の構成体１１の柱構成部１２と固着されている。特に、本実施形態では、上下一対の構成体１１が同形状であるため、一対の構成体１１の係止面構成壁部２４を延長させた端部同士が互いに固着されることとなる。
【００２６】
さらに、係止面２３の横幅方向において係止面構成壁部２４を第２凹部２２の左右端縁よりも側方に延長させるようにして形成された延設リブ２５が設けられている。延設リブ２５は、上下方向（パレット１の高さ方向）において柱構成部１２の固着側端縁にまで延設され、相手側の構成体１１の柱構成部１２と固着されている通しリブ２６にまで延設されて連結されている。これにより、係止面構成壁部２４の両側縁部と、通しリブ２６とが、延設リブ２５を介して連結されることとなる。尚、本実施形態では、通しリブ２６や延設リブ２５の一部は、第１凹部２１の内面を構成し、かつ、上下方向において一方のデッキ２から柱構成部１２を介して他方のデッキ２にかけて連続して延びるリブにまで延設されて連結されている。
【００２７】
また、本実施形態では、係止面構成壁部２４と、パレット１の外周面を構成する外壁部２７との間を連結する連結リブ２８が設けられている。加えて、連結リブ２８の少なくとも一部は、上下方向（パレット１の高さ方向）において柱構成部１２の固着側端縁にまで延設され、相手側の構成体１１の柱構成部１２と固着されている。但し、連結リブ２８の全区間が柱構成部１２の固着側端縁まで延在しているのではなく、固着側端縁にまで届いていない部位もある。すなわち、第１凹部２１に対応しては、強度を向上させるべく、その裏面側において、その他の部位よりも狭いピッチで（割り増して）連結リブ２８等の補強用のリブが形成されているのであるが、割り増して形成されたリブの一部が柱構成部１２の固着側端縁にまで延在しないように切欠かれている。これにより、連結リブ２８の側面等の成形性を確保するとともに、パレット１の軽量化を図ることができる。
【００２８】
加えて、図２等に示すように、第１凹部２１や第２凹部２２の底面には、構成体１１同士の合わせ面（固着面）側に貫通する複数の開口部２９が形成されている。但し、第１凹部２１の底面のうち第２凹部２２のデッキ２外周側の部位には、かかる開口部２９が一切形成されていない。これにより、第１凹部２１の底面において、複数の開口部２９が形成された網目状の部位と、開口部２９が形成されていない平坦な部位とが形成されることとなる。かかる見た目の違いにより、第１凹部２１の底面を視認すれば、図６に示すように、第２凹部２２が直接視認できない状況であっても、第２凹部２２がどの位置にあるかを把握することができる。尚、第１凹部２１の底面のうちフック３２からの応力がより大きく作用することとなる係止面構成壁部２４に連接する部位を開口部２９の形成されていない方とすることで、かかる部位の変形等をより確実に防止することができる。
【００２９】
以上詳述したように、本実施形態によれば、上側のデッキ２の上面（機能面１３）に物品Ｇを積載する場合、下側のデッキ２に形成された係止面２３に対して、バンド３１のフック３２を係止させ、物品Ｇを保持することができる。特に、本実施形態によれば、物品Ｇを支持する際に使用される係止面２３は、パレット１に支持される物品Ｇとは反対側のデッキ２の機能面１３を凹ませることで形成されており、当該係止面２３と、物品Ｇを支持しているデッキ２の機能面１３との間に、係止面２３（係止面２３を構成する係止面構成壁部２４）の強度を高める構成（補強リブ等）を設けるためのスペースを十分に確保することができる。その上、第１凹部２１は、デッキ２のうち支柱部３と連結されている部位に対応して形成されている。従って、第１凹部２１を形成しても、フォーク差込み部６を狭めることなく、係止面２３の強度を高める構成を支柱部３において確実に設けることができる。特に、本実施形態では、パレット１の高さ方向における第１凹部２１の深さは、パレット１の高さの１／２以下（より具体的には、各構成体１１の高さの１／２以下であることからパレット１の高さの１／４以下）となっているため、かかる作用効果が一層確実に奏される。結果として、係止面２３やその周辺部の強度を向上させることができ、係止面２３やその周辺部の変形や損傷等を防止することができる。
【００３０】
さらに、第１凹部２１内に第２凹部２２を形成することで係止面２３を形成することにより、物品Ｇを載置したパレット１が床面に設置されている状態であっても、パレット１を持ち上げることなく、下側のデッキ２の第１凹部２１を介して係止面２３にフック３２を係止することができ、作業性の向上を図ることができる。また、第１凹部２１が係止面２３の形成位置の目印にもなり、第２凹部２２が直接視認できない状況であっても、第２凹部２２の位置を把握することができる。加えて、係止面２３にフック３２を係止した状態でパレット１を床面に設置した場合でも、フック３２が床面に衝突する（床面とデッキ２とで挟まれて圧縮される）といった事態を防止することができ、フック３２の保護を図ることもできる。
【００３１】
また、本実施形態では、各構成体１１において、係止面２３を構成する係止面構成壁部２４は、パレット１の高さ方向において柱構成部１２の先端（固着側端縁）にまで延設され、相手側の構成体１１の柱構成部１２の先端と固着されている。このため、係止面構成壁部２４やその周辺部の強度を向上させることができる。特に、係止面構成壁部２４の上下方向における変形を防止することができ、係止面２３にバンド３１のフック３２を係止させてバンド３１をパレット１に支持される物品Ｇ側に引っ張った場合等において、係止面構成壁部２４やその周辺部が引っ張られた側に盛り上がるようにして変形してしまうといった事態をより確実に防止することができる。
【００３２】
さらに、係止面構成壁部２４と、パレット１の外周面を構成する外壁部２７との間を連結する連結リブ２８が設けられている。このため、係止面構成壁部２４やその周辺部の強度を向上させることができる。特に、係止面構成壁部２４のデッキ２外周方向における変形を防止することができ、係止面２３にバンド３１のフック３２を係止させてバンド３１をデッキ２外周方向に引っ張った場合等において、係止面構成壁部２４やその周辺部がデッキ２外周側に膨らむようにして（係止面２３よりもデッキ２外周側の部位が引っ張られた側に捲れるようにして）変形してしまうといった事態をより確実に防止することができる。
【００３３】
加えて、各構成体１１において、連結リブ２８の少なくとも一部は、パレット１の高さ方向において柱構成部１２の固着側端縁にまで延設され、相手側の構成体１１の柱構成部１２の先端と固着されている。このため、連結リブ２８やその周辺部（係止面構成壁部２４等）の強度を向上させることができる。特に、連結リブ２８の上下方向における変形を防止することができ、係止面２３にバンド３１のフック３２を係止させてバンド３１をパレット１に支持される物品Ｇ側に引っ張った場合等において、連結リブ２８やその周辺部が引っ張られた側に盛り上がるようにして変形してしまうといった事態をより確実に防止することができる。
【００３４】
また、係止面構成壁部２４の左右両側縁部と、第２凹部２２の左右側方に位置する通しリブ２６との間を連結する延設リブ２５が設けられている。このため、係止面構成壁部２４やその周辺部の強度を向上させることができる。特に、係止面構成壁部２４と、その左右の部位との間の位置ずれを防止することができ、係止面２３にバンド３１のフック３２を係止させてバンド３１をパレット１に支持される物品Ｇ側に引っ張った場合等において、係止面構成壁部２４が、その左右の部位よりも、引っ張られた側に盛り上がるようにして変形してしまうといった事態をより確実に防止することができる。
【００３５】
さらに、延設リブ２５の一部や通しリブ２６等は、第１凹部２１の内面を構成し、かつ、上下方向において一方のデッキ２から柱構成部１２を介して他方のデッキ２にかけて連続して延びるリブにまで延設されて連結されている。このため、係止面２３にバンド３１のフック３２を係止させてバンド３１をパレット１に支持される物品Ｇ側に引っ張った場合等において、第１凹部２１（の底面が全体的に）が、その左右の部位よりも、引っ張られた側に盛り上がるようにして変形してしまうといった事態をより確実に防止することができる。
【００３６】
尚、上記実施形態の記載内容に限定されず、例えば次のように実施してもよい。勿論、以下において例示しない他の応用例、変更例も当然可能である。
【００３７】
（ａ）上記実施形態では、パレット１の使用例として、パレット１の上方に物品Ｇを載せることが開示されているが、例えば、図１０、図１１に示すように、フォークリフトで持ち上げられたパレット１の上側のデッキ２に形成された一対の係止面２３に対してバンド３１のフック３２を係止させ、バンド３１をパレット１の下方に横架する（輪を形成する）ようにして吊下げるとともに、当該吊下げられたバンド３１に物品Ｇを載せて（バンド３１とパレット１下面とで挟持させて）物品Ｇを保持・運搬することも可能である。尚、図１０、図１１に示すように、パレット１に物品Ｇを吊るす場合には、係止面２３に対してより大きな負荷がかかることになる。この点、上記実施形態のように、係止面２３を構成する係止面構成壁部２４及びその周辺部の強度を高めることによって、かかる負荷に十分耐え得るように構成することができる。
【００３８】
さらに、図１２に示すように、パレット１の上方に物品Ｇを載置するとともに、かかる物品Ｇの上方にさらにパレット１を載置して、上下一対のパレット１間を一対のバンド３１で結束させるように構成してもよい。この場合、上下どちらのパレット１にでもフォークを差し込んで移動させることができる。また、バンド３１に手を掛けて引っ張って移動させることもできる。
【００３９】
（ｂ）上記実施形態では、パレット１は、形状が同じ第１構成体１１及び第２構成体１１同士を固着することで構成され、一対のデッキ２のうちどちらの機能面１３でも物品を載置する載置面として使用できる両面使用型のパレット１に具体化されているが、第１構成体１１と第２構成体１１とで形状が異なる片面使用型のパレットに適用してもよい。当該パレットを採用する場合には、物品を支持する面が一方のデッキ２の機能面に限定されることから、第１凹部２１及び第２凹部２２については他方のデッキ２の機能面にのみ形成するだけでもよい。
【００４０】
また、支柱部３の存在する部位にしか下側のデッキ２が存在しないようなタイプ（一見すると下側のデッキ２が存在しないような形状）のパレットに適用してもよい。ちなみに、かかる構成を採用する場合には、支柱部３の下端部のように見える下方に臨む面に第１凹部２１及び第２凹部２２を形成することとなる。さらに、パレット１全体を一体成形することとしてもよい。但し、これらの構成を採用する場合においても、係止面２３を構成する係止面構成壁部２４及びその周辺部の強度を高める（補強用のリブ等を形成するスペースを確保する）観点から、第１凹部２１の対応する機能面１３からの深さは、パレット１の全高の１／２以下が望ましく、さらには、パレット１の全高の１／４以下が望ましい。
【００４１】
（ｃ）また、上記実施形態では、ハンドリフト等のフォークを２方向から差し込める所謂２方差しタイプのパレットに具体化されているが、フォークを４方向から差し込める所謂４方差しタイプ（例えば、支柱部３が、デッキ２の四隅と、デッキ２の各側辺部の略中間位置と、中央部との９箇所にそれぞれ設けられるタイプ）のパレットに適用してもよい。
【００４２】
さらに、デッキ２の形状や、第１凹部２１及び第２凹部２２の形成位置や数等は特に限定されるものではなく、例えば、デッキ２が略正方形をなすように構成されてもよいし、中柱５の長手方向両端部に対応する部位において第１凹部２１及び第２凹部２２を形成することとしてもよい。
【００４３】
（ｄ）上記実施形態では、第１凹部２１の底面のうち、第２凹部２２のデッキ２外周側に位置する部位と、その左右の部位とで、開口部２９が形成されているか否か（網目状又はベタ目）によって、第２凹部２２の形成位置を示す目印としているが、特にかかる構成に限定されるものではない。例えば、図１３、図１４に示すように、第２凹部２２の形成範囲の境界部に沿って延びる凸状部４１を形成することとしてもよい。当該構成を採用する場合、凸状部４１によってバンド３１（フック３２）の左右の位置ずれを防止することもできる。さらに、図１５に示すように、上下一対の構成体１１の凸状部４１を上下に繋げるようにして、パレット１の外周面にも凸状部４１を延設してもよい。当該構成を採用する場合、第１凹部２１の底面が見えなくても、パレット１の外周面に形成された凸状部４１を見て第２凹部２２の位置を把握することができる。
【００４４】
また、図１６、図１７に示すように、第２凹部２２の形成範囲に対応する部位を一段低くするようにして目印凹部４２を形成することとしてもよい。該構成を採用する場合、目印凹部４２の側部の段差によってバンド３１（フック３２）の左右の位置ずれを防止することもできる。さらに、図１８に示すように、上下一対の構成体１１の目印凹部４２を上下に繋げるようにして、パレット１の外周面にも目印凹部４２を延設してもよい。
【００４５】
（ｅ）上記実施形態では、パレット１はポリプロピレンにより構成されているが、ポリエチレン、ＰＥＴ、ポリアミド等その他の樹脂材料により構成されることとしてもよい。
【符号の説明】
【００４６】
１…パレット、２…デッキ、３…支柱部、４…隅柱、５…中柱、６…フォーク差込み部、１１…構成体、１２…柱構成部、１３…機能面、２１…第１凹部、２２…第２凹部、２３…係止面、２４…係止面構成壁部、２５…延設リブ、２６…通しリブ、２７…外壁部、２８…連結リブ、２９…開口部、３１…バンド、３２…フック、Ｇ…物品。
【図１】
2014055001.tif 000003
【図２】
2014055001.tif 000004
【図３】
2014055001.tif 000005
【図４】
2014055001.tif 000006
【図５】
2014055001.tif 000007
【図６】
2014055001.tif 000008
【図７】
2014055001.tif 000009
【図８】
2014055001.tif 000010
【図９】
2014055001.tif 000011
【図１０】
2014055001.tif 000012
【図１１】
2014055001.tif 000013
【図１２】
2014055001.tif 000014
【図１３】
2014055001.tif 000015
【図１４】
2014055001.tif 000016
【図１５】
2014055001.tif 000017
【図１６】
2014055001.tif 000018
【図１７】
2014055001.tif 000019
【図１８】
2014055001.tif 000020